(57)【要約】【課題】画像を伝送するシステムにおいて、遅延時間およびメモリ容量を低減する。【解決手段】画像供給部は、２次元格子状に配列された画素からなる原画像において所定の方向に配列された画素の各々を供給する。画像マッピング部は、所定数を超えない数である分割数の前記画素が供給されるたびに供給された画素の各々を互いに異なる画像にマッピングしてマッピングした画像を分割画像として生成する。所定数と同数の送信部のそれぞれが分割画像のいずれかを送信する。【選択図】図２
2014146924.tif 000002
【特許請求の範囲】
【請求項１】
２次元格子状に配列された画素からなる原画像において所定の方向に配列された画素の各々を供給する画像供給部と、
前記原画像を分割する数である分割数の前記画素が供給されるたびに当該分割数の画素の各々を互いに異なる画像にマッピングして当該マッピングした画像を分割画像として生成する画像マッピング部と、
それぞれが複数の通信チャネルのいずれかに対応付けられて前記分割画像のいずれかを前記対応する前記通信チャネルを介して送信する少なくとも前記分割数と同数の送信部と
を具備する画像送信回路。
【請求項２】
前記通信チャネルの通信速度と前記原画像のデータ量とに基づいて前記分割数を決定する分割数決定部をさらに備え、
前記画像マッピング部は、前記決定された分割数の前記分割画像を生成し、
前記送信部のうち前記決定された分割数と同数の前記送信部のみが、前記分割画像を送信する
請求項１記載の画像送信回路。
【請求項３】
前記送信部のいずれかに対応付けられて前記分割画像に同期信号を多重化して前記対応する送信部に送信する前記送信部の個数と同数の同期信号多重化部をさらに備え、
前記同期信号多重化部のうち前記決定された分割数と同数の前記同期信号多重化部のみが、前記同期信号を多重化する
請求項２記載の画像送信回路。
【請求項４】
前記分割数決定部は、前記原画像を等分割する数であり、かつ、前記複数の通信チャネルの個数を超えない数を前記通信速度と前記原画像のデータ量とに基づいて前記分割数として決定する
請求項２記載の画像送信回路。
【請求項５】
それぞれが複数の通信チャネルのいずれかに対応付けられて２次元格子状に配列された画素からなる原画像を分割した数である分割数と同数の分割画像のいずれかにおける画素を前記対応する通信チャネルを介して１画素ずつ受信する少なくとも前記分割数と同数の受信部と、
前記受信部のうち前記分割数の受信部の各々が１つの画素を受信するたびに前記原画像における所定の方向に沿って順に前記受信された画素の各々を配列して前記原画像を再構成する画像再構成部と、
前記再構成された原画像を表示する表示部と
を具備する画像受信回路。
【請求項６】
前記通信チャネルの通信速度と前記原画像のデータ量とに基づいて前記分割数を決定する分割数決定部をさらに備え、
前記受信部のうち前記決定された分割数の前記受信部は、前記分割画像のいずれかの画素を１画素ずつ受信し、
前記画像再生構成部は、前記決定された分割数の前記受信部の各々が１つの画素を取得するたびに前記画像を再構成する
請求項５記載の画像受信回路。
【請求項７】
前記分割画像から同期信号を分離して前記同期信号を分離した前記分割画像をそれぞれが前記画像再構成部に供給する前記受信部と同数の同期信号分離部をさらに具備し、
前記受信部の各々は、前記同期信号分離部のいずれかに対応付けられて前記同期信号が多重化された前記分割画像を受信して前記対応する同期信号分離部に供給し、
前記同期信号分離部のうち前記決定された分割数と同数の前記同期信号分離部のみが、前記同期信号を分離する
請求項６記載の画像受信回路。
【請求項８】
前記分割数決定部は、前記原画像を等分割する数であり、かつ、前記複数の通信チャネルの個数を超えない数を前記通信速度と前記原画像のデータ量とに基づいて前記分割数として決定する
請求項６記載の画像受信回路。
【請求項９】
２次元格子状に配列された画素からなる原画像において所定の方向に配列された画素の各々を供給する画像供給部と、
前記原画像を分割する数である分割数の前記画素が供給されるたびに当該分割数の画素の各々を互いに異なる画像にマッピングして当該マッピングした画像を分割画像として生成する画像マッピング部と、
それぞれが複数の通信チャネルのいずれかに対応付けられて前記分割画像のいずれかを前記対応する前記通信チャネルを介して送信する当該対応する少なくとも前記分割数と同数の送信部と、
それぞれが前記複数の通信チャネルのいずれかに対応付けられて前記分割画像のいずれかにおける画素を前記対応する通信チャネルを介して１画素ずつ受信する少なくとも前記分割数と同数の受信部と、
前記受信部のうち前記分割数の受信部の各々が１つの画素を受信するたびに前記原画像における所定の方向に沿って順に前記受信された画素の各々を配列して前記原画像を再構成する画像再構成部と、
前記再構成された原画像を表示する表示部と
を具備する通信システム。
【請求項１０】
画像供給部が、２次元格子状に配列された画素からなる原画像において所定の方向に配列された画素の各々を供給する画像供給手順と、
画像マッピング部が、前記原画像を分割する数である分割数の前記画素が供給されるたびに当該分割数の画素の各々を互いに異なる画像にマッピングして当該マッピングした画像を分割画像として生成する画像マッピング手順と、
それぞれが複数の通信チャネルのいずれかに対応付けられた少なくとも前記分割数と同数の送信部が前記対応する通信チャネルを介して前記分割画像のいずれかを送信する送信手順と
を具備する画像送信方法。
【発明の詳細な説明】
【技術分野】
【０００１】
本技術は、ソース機器、シンク機器、通信システムおよび画像送信方法に関する。詳しくは画像を送信するソース機器、画像を受信するシンク機器、画像を送受信する通信システム、および、画像送信方法に関する。
【背景技術】
【０００２】
近年、ＨＤ（High Definition）画像を超える超高精細の画像を処理する通信システムや受像装置が求められている。このニーズに応じて、ＨＤ画像の４倍や１６倍の画素数を有する画像を処理するためのＵＨＤＴＶ（Ultra High Definition TV）規格が国際協会により標準化されている。そして、この超高精細の画像の転送には、例えば、ＳＭＰＴＥ（Society of Motion Picture and Television Engineers）規格に従ったインターフェースが用いられている。例えば、放送業務用の製品においては、ＳＭＰＴＥ規格に準拠した３Ｇ−ＳＤＩ規格のインターフェースが用いられている。また、民生用の製品においては、ＨＤＭＩ（High Definition Multimedia Interface）規格のインターフェースが用いられている。
【０００３】
ここで、これらのインターフェースのチャネル当たりの伝送レートには、規格上の上限があるため、ＨＤ画像より解像度の高い画像は、１チャネルで伝送することができないことがある。そこで、１チャネルで伝送不可能な場合には、画像を分割して、複数のチャネルで伝送する方法が用いられている。
【０００４】
画像を分割する際には、例えば、水平方向および垂直方向の中心線により画像を区切り、４分割するマッピング方法が用いられる。あるいは、画像からラインおよび画素を間引くマッピング方法が用いられる（例えば、特許文献１参照。）。間引く場合には、水平方向において、奇数または偶数のラインが間引かれ、さらに間引いたラインにおいて、隣り合う２画素のうちの一方が間引かれる。この間引かれた画素が、分割した画像にマッピングされる。
【先行技術文献】
【特許文献】
【０００５】
【特許文献１】特開２００９−２００９６０号公報
【発明の概要】
【発明が解決しようとする課題】
【０００６】
しかしながら、上述の従来技術では、遅延時間およびメモリ容量を低減することが困難である。中心線で区切るマッピング方法では、画像全体を保持することができるメモリに画像全体を保持し、そのメモリから、分割した画像を読み出す必要がある。このため、１フレーム程度の遅延時間が生じてしまう。また、ラインおよび画素を間引く方法では、１ライン程度を保持することができるメモリに間引く対象のラインを保持し、そのラインから、間引く画素を読み出す必要がある。このため、１ライン程度の遅延時間が生じてしまう。
【０００７】
メモリ容量および遅延時間を低減するには、チャネル当たりの伝送レートを上昇させて、画像を分割せずに送信すればよい。ところが、ＨＤＭＩや３Ｇ−ＳＤＩでは、画素データをシリアル方式で順に送信するため、チャネルにおける転送クロックの向上が困難であり、伝送レートの向上は容易でない。したがって、遅延時間およびメモリ容量を低減することが困難である。
【０００８】
本技術はこのような状況に鑑みて生み出されたものであり、画像を伝送するシステムにおいて、遅延時間およびメモリ容量を低減することを目的とする。
【課題を解決するための手段】
【０００９】
本技術は、上述の問題点を解消するためになされたものであり、その第１の側面は、２次元格子状に配列された画素からなる原画像において所定の方向に配列された画素の各々を供給する画像供給部と、上記原画像を分割する数である分割数の上記画素が供給されるたびに当該分割数の画素の各々を互いに異なる画像にマッピングして当該マッピングした画像を分割画像として生成する画像マッピング部と、それぞれが複数の通信チャネルのいずれかに対応付けられて上記分割画像のいずれかを上記対応する上記通信チャネルを介して送信する少なくとも上記分割数と同数の送信部とを具備する画像送信回路および画像送信方法である。これにより、分割数の画素の各々が互いに異なる画像にマッピングされて少なくとも分割数と同数の送信部により送信されるという作用をもたらす。
【００１０】
また、この第１の側面において、上記通信チャネルの通信速度と上記原画像のデータ量とに基づいて上記分割数を決定する分割数決定部をさらに備え、上記画像マッピング部は、上記決定された分割数の上記分割画像を生成し、上記送信部のうち上記決定された分割数と同数の上記送信部のみが、上記分割画像を送信してもよい。これにより、送信部のうち分割数の送信部のみにより分割画像が送信されるという作用をもたらす。
【００１１】
また、この第１の側面において、上記送信部のいずれかに対応付けられて上記分割画像に同期信号を多重化して上記対応する送信部に送信する上記送信部の個数と同数の同期信号多重化部をさらに備え、上記同期信号多重化部のうち上記決定された分割数と同数の上記同期信号多重化部のみが、上記同期信号を多重化してもよい。これにより、分割数と同数の同期信号の各々により、同期信号が多重化されるという作用をもたらす。
【００１２】
また、この第１の側面において、上記分割数決定部は、上記原画像を等分割する数であり、かつ、上記複数の通信チャネルの個数を超えない数を上記通信速度と上記原画像のデータ量とに基づいて上記分割数として決定してもよい。これにより、原画像を等分割する数であり、かつ、複数の通信チャネルの個数を超えない数が通信速度と原画像のデータ量とに基づいて分割数として決定されるという作用をもたらす。
【００１３】
また、本技術の第２の側面は、それぞれが複数の通信チャネルのいずれかに対応付けられて２次元格子状に配列された画素からなる原画像を分割した数である分割数と同数の分割画像のいずれかにおける画素を上記対応する通信チャネルを介して１画素ずつ受信する少なくとも上記分割数と同数の受信部と、上記受信部のうち上記分割数の受信部の各々が１つの画素を受信するたびに上記原画像における所定の方向に沿って順に上記受信された画素の各々を配列して上記原画像を再構成する画像再構成部と、上記再構成された原画像を表示する表示部とを具備する画像受信回路である。これにより、分割画像のいずれかにおける画素が少なくとも分割数と同数の受信部により受信されるたびに、所定の方向に沿って順に受信された画素の各々が配列されて原画像が再構成されるという作用をもたらす。
【００１４】
また、この第２の側面において、上記通信チャネルの通信速度と上記原画像のデータ量とに基づいて上記分割数を決定する分割数決定部をさらに備え、上記受信部のうち上記決定された分割数の上記受信部は、上記分割画像のいずれかの画素を１画素ずつ受信し、上記画像再生構成部は、上記決定された分割数の上記受信部の各々が１つの画素を取得するたびに上記画像を再構成してもよい。これにより、受信部のうち決定された分割数の送信部により分割画像が受信されるという作用をもたらす。
【００１５】
また、この第２の側面において、上記分割画像から同期信号を分離して上記同期信号を分離した上記分割画像をそれぞれが上記画像再構成部に供給する上記受信部と同数の同期信号分離部をさらに具備し、上記受信部の各々は、上記同期信号分離部のいずれかに対応付けられて上記同期信号が多重化された上記分割画像を受信して上記対応する同期信号分離部に供給し、上記同期信号分離部のうち上記決定された分割数と同数の上記同期信号分離部のみが、上記同期信号を分離してもよい。これにより、上記同期信号分離部のうち上記決定された分割数と同数の上記同期信号分離部により分割画像が分離されるという作用をもたらす。
【００１６】
また、この第２の側面において、上記分割数決定部は、上記原画像を等分割する数であり、かつ、上記複数の通信チャネルの個数を超えない数を上記通信速度と上記原画像のデータ量とに基づいて上記分割数として決定してもよい。これにより、原画像を等分割する数であり、かつ、複数の通信チャネルの個数を超えない数が通信速度と原画像のデータ量とに基づいて分割数として決定されるという作用をもたらす。
【００１７】
また、本技術の第３の側面は、２次元格子状に配列された画素からなる原画像において所定の方向に配列された画素の各々を供給する画像供給部と、上記原画像を分割する数である分割数の上記画素が供給されるたびに当該分割数の画素の各々を互いに異なる画像にマッピングして当該マッピングした画像を分割画像として生成する画像マッピング部と、それぞれが複数の通信チャネルのいずれかに対応付けられて上記分割画像のいずれかを上記対応する上記通信チャネルを介して送信する当該対応する少なくとも上記分割数と同数の送信部と、それぞれが上記複数の通信チャネルのいずれかに対応付けられて上記分割画像のいずれかにおける画素を上記対応する通信チャネルを介して１画素ずつ受信する少なくとも上記分割数と同数の受信部と、上記受信部のうち上記分割数の受信部の各々が１つの画素を受信するたびに上記原画像における所定の方向に沿って順に上記受信された画素の各々を配列して上記原画像を再構成する画像再構成部と、上記再構成された原画像を表示する表示部とを具備する通信システムである。これにより、分割数の画素の各々が互いに異なる画像にマッピングされて少なくとも分割数と同数の送信部および受信部により送受信されるという作用をもたらす。
【発明の効果】
【００１８】
本技術によれば、画像を伝送するシステムにおいて、遅延時間およびメモリ容量を低減することができるという優れた効果を奏し得る。
【図面の簡単な説明】
【００１９】
【図１】第１の実施の形態における通信システムの一構成例を示すブロック図である。
【図２】第１の実施の形態における画像供給装置の一構成例を示すブロック図である。
【図３】第１の実施の形態における表示装置の一構成例を示すブロック図である。
【図４】第１の実施の形態におけるマッピング方法を説明するための図である。
【図５】第１の実施の形態における画素データのデータ構成例を示す図である。
【図６】第１の実施の形態における同期信号を多重化した分割画像信号の一例を示す図である。
【図７】第１の実施の形態における同期信号および有効画素信号のデータ構成の一例を示す図である。
【図８】第１の実施の形態における画像供給装置による画像送信処理の一例を示すフローチャートである。
【図９】第１の実施の形態における表示装置による画像受信処理の一例を示すフローチャートである。
【図１０】第１の実施の形態における画像処理装置の一構成例を示すブロック図である。
【図１１】第２の実施の形態における画像供給装置の一構成例を示すブロック図である。
【図１２】第２の実施の形態における画像マッピング部の一構成例を示すブロック図である。
【図１３】第２の実施の形態における解像度フォーマットテーブルの一構成例を示す図である。
【図１４】第２の実施の形態における表示装置の一構成例を示すブロック図である。
【図１５】第２の実施の形態における画像再構成部の一構成例を示すブロック図である。
【発明を実施するための形態】
【００２０】
以下、本技術を実施するための形態（以下、実施の形態と称する）について説明する。説明は以下の順序により行う。
１．第１の実施の形態（分割数の画素の各々を異なる画像にマッピングして送信する例）
２．第２の実施の形態（画像のデータ量に応じた分割数の画素の各々を異なる画像にマッピングして送信する例）
【００２１】
＜１．第１の実施の形態＞
［通信システムの構成例］
図１は、実施の形態における通信システムの一構成例を示すブロック図である。この通信システムは、画像供給装置１００および表示装置２００を備える。
【００２２】
画像供給装置１００は、映像信号を表示装置２００に供給するものであり、通信システムにおいてソース機器として用いられる。より具体的には、画像供給装置１００は、レコーダーやテレビチューナーなどである。ここで、映像信号は、時系列順に複数の原画像信号を含むものである。また、原画像信号は、２次元格子状に配列された複数の画素からなる原画像を示す信号である。画像供給装置１００は、例えば、ＨＤＤ（Hard Disk Drive）などの記憶装置を備え、その記憶装置から映像信号を読み出す。なお、画像供給装置１００は、記憶装置からの読み出し以外の方法で映像信号を取得してもよい。例えば、画像供給装置１００は、映像信号が乗せられたＲＦ(Radio Frequency)信号を受信し、そのＲＦ信号から映像信号を取得してもよい。
【００２３】
ここで、映像信号の単位時間当たりのデータ量は、ＳＭＰＴＥに準拠したケーブル１本ではリアルタイムに送信することができないほど、大きいものとする。例えば、ＱＦＨＤ（Quad Full High Definition）などの非常に解像度の高い映像信号であるものとする。そこで、画像供給装置１００は、取得した映像信号における原画像信号の各々を、表示装置２００との間の通信チャネルの数（例えば、ケーブルの本数）を超えない数に等分割する。原画像信号を等分割した信号のそれぞれを以下、「分割画像信号」と称し、分割画像信号の示す画像を「分割画像」と称する。画像供給装置１００は、それらの分割画像信号をシリアルデータＳ１至Ｓ４に変換する。シリアルデータＳ１、Ｓ２、Ｓ３およびＳ４は、それぞれケーブル１０６、１０７、１０８および１０９を介して表示装置２００に送信される。これらのケーブル１０６乃至１０９は、例えば、３Ｇ−ＳＤＩケーブルであり、シリアルデータは、３Ｇ−ＳＤＩ規格に従って送信される。それぞれのケーブルの伝送帯域は、同一であるものとする。なお、画像供給装置１００は、特許請求の範囲に記載のソース機器の一例である。また、映像信号を送信することができるのであれば、画像供給装置１００は、ＨＤＭＩなど、３Ｇ−ＳＤＩ以外の規格に従って送信してもよい。また、ケーブル１０６乃至１０９についても、３Ｇ−ＳＤＩケーブル以外のケーブル、例えば、ＨＤＭＩケーブルであってもよい。
【００２４】
なお、画像供給装置１００は原画像を４つの分割画像に分割しているが、分割数は４つに限定されない。分割画像信号の単位時間当たりのデータ量が１本のケーブルで送信することができる程度になるのであり、原画像を等分割することができるのであれば、ケーブルの本数を超えない範囲で分割数は任意である。例えば、原画像の水平解像度が３８４０画素である場合、前述の画像を１秒間あたりに表示するフレームレートを鑑みて、４つのほか、２つや６つなどの分割画像に等分割することができる。
【００２５】
また、ＱＦＨＤなどの高精細の映像信号を分割対象としているが、画像供給装置１００は、ＨＤ（High Definition）など、解像度のあまり高くない画像信号を分割してもよい。解像度が高くなくても、フレームレートが非常に多いと、映像信号の単位時間当たりのデータ量が向上し、１チャネルでは伝送することができない場合があるためである。
【００２６】
表示装置２００は、映像信号を受信し、表示するものであり、通信システムにおいて、ソース機器と同期をとって画像を再構成するシンク機器として用いられる。この表示装置２００は、ケーブル１０６、１０７、１０８および１０９を介してシリアルデータＳ１乃至Ｓ４を受信し、それらを分割画像信号Ｄ１乃至Ｄ４に変換する。そして、表示装置２００は、分割画像信号Ｄ１乃至Ｄ４を合成して分割前の原画像信号を再構成する。表示装置２００は、再構成した原画像信号に対して必要に応じて画像処理を施し、表示する。なお、表示装置２００は、特許請求の範囲に記載のシンク機器の一例である。
【００２７】
［画像供給装置の構成例］
図２は、第１の実施の形態における画像供給装置１００の一構成例を示すブロック図である。この画像供給装置１００は、画像供給部１１０と、画像マッピング部１２０と、同期信号多重化部１３１、１３２、１３３および１３４と、３Ｇ−ＳＤＩ送信部１４１、ｌ４２、１４３および１４４とを備える。同期信号多重化部（１３１等）と３Ｇ−ＳＤＩ送信部（１４１等）とは、画像供給装置１００と表示装置２００との間の通信チャネルの数（例えば、ケーブルの本数）と同じ個数、設けられる。通信チャネルの数が４以外のときには、同期信号多重化部（１３１等）と３Ｇ−ＳＤＩ送信部（１４１等）とのそれぞれの個数は、通信チャネルの数と同数に変更される。
【００２８】
画像供給部１１０は、原画像信号を取得して画像マッピング部１２０に供給するものである。画像供給部１１０は、例えば、ラスタースキャンにおける走査の順に、原画像におけるラインを順に選択する。そして、画像供給部１１０は、選択したラインにおけるｋｎ＋１番目、ｋｎ＋２番目、・・・、ｋｎ＋ｊ、・・・、ｋｎ＋ｋ番目の画素からなる画素群を画像マッピング部１２０に転送する。ここで、ｋは原画像を分割する数であり、表示装置２００との間の通信チャネルの数を超えない数（例えば、４）である。また、ｎはライン内の画素群を転送する回数に応じた値であり、０以上の整数である。ｊは、１乃至ｋの整数である。ｋを４とすると、１回目（ｎ＝０のとき）に転送されるのは同一ライン上の１番目から４番目の画素である。また、２回目（ｎ＝１のとき）に転送されるのは同一ライン上の５番目から８番目の画素である。画像供給部１１０は、選択したラインの全ての画素を供給すると、ラスタースキャン順において次のラインを選択して同様の処理を行う。
【００２９】
画像供給部１１０は、ｋ画素ずつ転送することにより、１画素ずつ転送するよりも低い転送レートで、画素を転送することができる。例えば、ｋ＝４のとき、分割前の原画像信号のピクセルクロックを５９４（＝１４８．５×４）ＭＨｚとする。この場合、画像供給部１１０は、４画素ずつ転送するため、その４分の１の１４８．５ＭＨｚの転送レートで転送すればよい。１画素のデータサイズを２０ビットとすると、８０ビットのデータが１４８．５ＭＨｚの転送レートで転送される。
【００３０】
また、ｋ画素ずつ転送することにより、画像マッピング部１２０はｋ画素をまとめて処理することができるため、画像マッピング部１２０において、ｋ画素を保持するためのメモリを設ける必要がなくなる。
【００３１】
画像マッピング部１２０は、ｋ画素が供給されるたびに、そのｋ個の画素のそれぞれを互いに異なる分割画像にマッピングするものである。
【００３２】
具体的には、画像マッピング部１２０は、原画像のライン番号Ｌのライン内のｋｎ＋ｊ番目の画素をｊ番目の分割画像におけるライン番号Ｌのライン内のｎ＋１番目の画素としてマッピングする。このライン番号は、画像内のラインに割り当てられた一意な番号である。例えば、ｋ＝４の場合、原画像のライン番号Ｌのライン内の１番目の画素は、１番目の分割画像におけるライン番号Ｌのライン内の１番目の画素としてマッピングされる。また、ライン番号Ｌのライン内の２番目の画素は、２番目の分割画像におけるライン番号Ｌのライン内の１番目の画素としてマッピングされる。同様に、３番目の画素は、３番目の分割画像における同一ラインの１番目の画素としてマッピングされ、４番目の画素は、４番目の分割画像における同一ラインの１番目の画素としてマッピングされる。５、６、７、８番目の画素は、分割画像の各々における同一ラインの２番目の画素としてマッピングされる。
【００３３】
画像マッピング部１２０の機能は、例えば、分配器により実現される。この分配器は、ｋ画素が供給されるたびに、それらの画素の各々を互いに異なる同期信号多重化部（１３１等）に分配する。ｋ画素のうちｊ番目の画素は、分配器により、ｋ個の同期信号多重化部のうちｊ番目に供給される。これにより、原画像がｋ個の分割画像に分割される。
【００３４】
分割画像は、原画像と同じ転送レート（例えば、１４５．８ＭＨｚ）で転送される。ただし、原画像がｋ（例えば、４）画素ずつ転送されるのに対し、分割画像は１画素ずつ転送される。１画素のデータサイズを２０ビットとすると、分割画像において、２０ビットのデータが１４５．８ＭＨｚの転送レートで転送される。
【００３５】
同期信号多重化部１３１は、分割画像信号Ｄ１に同期信号を多重化するものである。この同期信号多重化部１３１は、例えば、３Ｇ−ＳＤＩの規格に従って同期信号を生成する。３Ｇ−ＳＤＩの規格においては、同期信号として、ＴＲＳ（Timing Reference Signal）、ライン番号、誤り検出符号および水平ブランキング信号がラインごとに付加される。誤り検出符号としては、ＣＲＣ（Cyclic Redundancy Check）が用いられる。
【００３６】
ここで、ＴＲＳは、ＥＡＶ（End of Active Video）およびＳＡＶ（Start of Active Video）を含む。ＥＡＶは、画素が有効である期間の終了タイミングを示す信号である。また、ＳＡＶは、画素が有効である期間の開始タイミングを示す信号である。水平ブランキング信号は、画像が表示されない水平ブランキング期間を示す信号である。
【００３７】
原画像を分割して送信する場合、分割画像の各々における同じ座標の画素は、同時刻に表示装置２００に送信する必要がある。それぞれの分割画像信号において、画素の送信タイミングの同期は、ＴＲＳ信号の付加により実現される。
【００３８】
水平方向のｋ画素を画素単位で分割するマッピング方法により、分割画像の垂直解像度は原画像と同一となり、分割画像の水平解像度は原画像の１／ｋとなる。このため、同期信号多重化部１３１は、垂直ライン方向については、原画像と同じタイミングで同期信号を多重化する。一方、水平ライン方向については、同期信号多重化部１３１は、原画像と比較して１／ｋの間隔で同期信号を多重化する。具体的には、同期信号多重化部１３１は、原画像の水平方向の画素数の１／ｋの画素が供給されるたびに、それらの画素を１ラインとして、同期信号を多重化する。
【００３９】
同期信号多重化部１３２、１３３および１３４の構成は、分割画像信号Ｄ１の代わりに分割画像信号Ｄ２、Ｄ３およびＤ４を多重化する点以外は、同期信号多重化部１３１と同様である。
【００４０】
このように、分割画像信号の各々において、同じ間隔でＴＲＳ信号が付加される。このため、分割画像のそれぞれにおける同じ座標の画素は、同時に表示装置２００へ送信される。
【００４１】
同期信号多重化部１３１は、同期信号を多重化した分割画素信号をパラレルデータとして３Ｇ−ＳＤＩ送信部１４１に供給する。同期信号多重化部１３２、１３３および１３４は、多重化した分割画像信号Ｄ１、Ｄ２、Ｄ３およびＤ４をパラレルデータとして、それぞれ３Ｇ−ＳＤＩ送信部１４２、１４３および１４４に供給する。
【００４２】
３Ｇ−ＳＤＩ送信部１４１、１４２、１４３および１４４は、パラレルデータをシリアルデータに変換し、３Ｇ−ＳＤＩの規格に従って送信するものである。
【００４３】
３Ｇ−ＳＤＩ送信部１４１は、ケーブル１０６を介してシリアルデータＳ１を送信する。３Ｇ−ＳＤＩ送信部１４２、１４３および１４４はそれぞれケーブル１０７、１０８および１０９を介してシリアルデータＳ２、Ｓ３およびＳ４を表示装置２００へ送信する。なお、３Ｇ−ＳＤＩ送信部１４１、１４２、１４３および１４４の各々は、特許性請求の範囲に記載の送信部の一例である。
【００４４】
［表示装置の構成例］
図３は、第１の実施の形態における表示装置２００の一構成例を示すブロック図である。この表示装置２００は、３Ｇ−ＳＤＩ受信部２１１、２１２、２１３および２１４と、同期信号分離部２２１、２２２、２２３および２２４と、画像再構成部２３０と、表示部２４０とを備える。
【００４５】
３Ｇ−ＳＤＩ受信部２１１、２１２、２１３および２１４は、３Ｇ−ＳＤＩ規格に従ってシリアルデータを受信し、そのデータをパラレルデータに変換するものである。
【００４６】
３Ｇ−ＳＤＩ受信部２１１はケーブル１０６を介してシリアルデータＳ１を受信し、パラレルデータに変換して同期信号分離部２２１に供給する。３Ｇ−ＳＤＩ受信部２１２、２１３および２１４は、それぞれケーブル１０７、１０８および１０９を介してシリアルデータＳ２、Ｓ３およびＳ４を受信し、パラレルデータに変換して同期信号分離部２２２、２２３および２２４に供給する。なお、３Ｇ−ＳＤＩ受信部２１１、２１２、２１３および２１４の各々は、特許請求の範囲に記載の受信部の一例である。
【００４７】
同期信号分離部２２１は、パラレルデータを同期信号と分割画像信号Ｄ１とに分離するものである。同期信号分離部２２１は、分離した同期信号に基づいて、分割画像信号Ｄ１の画像再構成部２３０への供給タイミングを同期させる。具体的には、ＳＡＶからＥＡＶまでの間の画素を１つのラインにおける画素として順に供給する。ＴＲＳ（ＳＡＶおよびＥＡＶ）は、前述したように、画像供給装置１００において同じ間隔で付加されている。このため、そのＴＲＳに基づいて画素を供給することにより、分割画像のそれぞれにおける同じ座標の画素は、同時に画像再構成部２３０に供給される。
【００４８】
同期信号分離部２２２、２２３および２２４は、それぞれ分割画像信号Ｄ２、Ｄ３およびＤ４を分離して画像再構成部２３０に供給する。
【００４９】
画像再構成部２３０は、ｋ個の同期信号分離部（２２１等）からｋ画素が供給されるたびに、それらの画素を原画像における水平ラインにおいて順に配列して原画像を再構成するものである。
【００５０】
具体的には、画像再構成部２３０は、ｊ番目の分割画像におけるライン番号Ｌのライン内のｎ＋１番目の画素を、原画像におけるライン番号Ｌのラインのｋｎ＋ｊ番目の画素として配列する。例えば、ｋ＝４の場合、１番目の分割画像におけるライン番号Ｌのライン内の１番目（ｎ＝０）の画素は、原画像におけるライン番号Ｌのラインの１番目の画素として配列される。２番目の分割画像におけるライン番号Ｌのライン内の１番目の画素は、原画像におけるライン番号Ｌのラインの２番目の画素として配列される。同様に、３番目の分割画像における１番目の画素は、原画像における同一ラインの３番目の画素として配列され、４番目の分割画像における１番目の画素は、原画像における同一ラインの４番目の画素として配列される。そして、１乃至４番目の分割画像のそれぞれにおける２番目の画素は、原画像における同一ラインの５乃至８番目の画素として配列される。
【００５１】
画像再構成部２３０の機能は、例えば、混合器により実現される。この混合器は、ｋ個の同期信号分離部（２２１等）からｋ画素が供給されるたびに、それらの画素をまとめて表示部２４０に供給する。これにより、ｋ個の分割画像から原画像が再構成される。
【００５２】
画像再構成部２３０は、再構成した原画像信号を表示部２４０に供給する。ここで、分割画像信号が１画素ずつ転送されるのに対し、再構成された原画像信号は、同じ転送レート（例えば、１４８．５ＭＨｚ）でｋ（例えば、４）画素ずつ転送される。例えば、１画素のデータサイズを２０ビットとすると、原画像信号内の８０ビットのデータが１４８．５ＭＨｚの転送レートで転送される。このように、ｋ画素ずつ転送することにより、１画素ずつ転送する場合よりも低い転送レートで画素を転送することができる。
【００５３】
また、仮に原画像信号を１画素ずつ転送する構成とすると、同時に供給されたｋ個の画素を保持するメモリが画像再構成部２３０に必要になるが、ｋ画素ずつ転送することにより、そのようなメモリが不要となる。
【００５４】
表示部２４０は、原画像信号に基づいて原画像を表示するものである。原画像信号は、ｋ画素ずつ転送されるため、表示部２４０は、画像供給装置１００における画像供給部１１０と同一の動作クロックにより画像を描画することができる。
【００５５】
図４は、第１の実施の形態におけるマッピング方法を説明するための図である。図４において、原画像は、垂直解像度が２１６０ラインであり、水平解像度が３８４０画素の画像である。分割数ｋは４であり、原画像は４分割されて、４つの分割画像Ａ、Ｂ、ＣおよびＤにマッピングされるものとする。
【００５６】
この場合、原画像のそれぞれのラインにおける１、５、９番目など、４ｎ＋１番目の画素ａが、分割画像Ａにマッピングされる。また、それぞれのラインにおける２、６、１０番目など、４ｎ＋２番目の画素ｂが、分割画像Ｂにマッピングされる。それぞれのラインにおける４ｎ＋３番目の画素ｃが、分割画像Ｂにマッピングされ、４ｎ＋４番目の画素ｄが分割画像Ｄにマッピングされる。
【００５７】
このようなマッピング方法により、原画像は、水平方向において、ｋ画素単位で１画素を間引いた画素からなるｋ個の分割画像に分割される。垂直方向におけるライン単位の間引きを行わないため、画像供給装置１００において１ラインまたは１フレームを保持するためのメモリが不要である。したがって、画像の伝送において、ライン単位またはフレーム単位の遅延が生じない。
【００５８】
なお、原画像の解像度は図５に例示した解像度に限定されない。例えば、垂直解像度が２１６０ラインであり、水平解像度が４１６０画素の画像であってもよい。
【００５９】
図５は、第１の実施の形態における画素データのデータ構成例を示す図である。図５は、画像信号のカラーフォーマットが「ＹＣｂＣｒ  ４：２：２」である場合の画素データの一例である。ここで、ＹＣｂＣｒは色空間の種類を示し、この色空間においてＹは輝度信号であり、Ｃｂは青色色差信号であり、Ｃｒは赤色色差信号である。「４：２：２」は、輝度信号Ｙ、青色色差信号Ｃｂおよび赤色色差信号Ｃｒのそれぞれのサンプリング周波数の比率を示す。言い換えれば、輝度信号が４回サンプリングされる間に、青色色差信号Ｃｂおよび赤色色差信号Ｃｒは、それぞれ２回サンプリングされる。このため、水平方向において、隣り合う４つの画素ａ、ｂ、ｃおよびｄは、輝度信号Ｙを４つ含み、青色色差信号Ｃｂおよび赤色色差信号Ｃｒをそれぞれ２つずつ含む。
【００６０】
通常は、輝度信号Ｙと、青色色差信号Ｃｂおよび赤色色差信号Ｃｒとを含むデータが１つの画素データとして転送される。しかし、図５では、輝度信号Ｙと、青色色差信号Ｃｂまたは赤色色差信号Ｃｒとを含むデータを１つの画素データとして転送する構成としている。これは、画像供給部１１０が供給する画素信号のタイミングと、画像供給装置１００および表示装置２００間の伝送路のタイミングとの整合性をとる同期信号の扱いが簡易になるためである。
【００６１】
輝度信号および色差信号の階調ビット数を１０ビットとすると、１つの画素は、輝度信号および色差信号を１つずつ含むため、そのデータサイズは２０ビットとなる。このため、一度に転送される、４画素からなる画素群のデータ量は、８０ビットとなる。
【００６２】
なお、輝度信号Ｙと青色色差信号Ｃｂおよび赤色色差信号Ｃｒとを含むデータを１つの画素データとして転送してもよい。この場合には、輝度信号Ｙのサイズに対して、青色色差信号Ｃｂおよび赤色色差信号Ｃｒのそれぞれのサイズは、その半分とされる。
【００６３】
また、画像信号のカラーフォーマットは、図５に例示した構成に限定されない。例えば、ＹＣｂＣｒの代わりに、ＲＧＢ（Red Green Blue）の色空間を用いてもよい。また、サンプリング比は「４：４：４」や「４：２：０」などであってもよい。さらに、１０ビットのほか、８ビット、１２ビットまたは１４ビットなどを階調ビット数として用いてもよい。
【００６４】
図６は、第１の実施の形態における同期信号を多重化した分割画像信号の一例を示す図である。垂直方向において、ラインが有効である垂直有効映像期間と、ラインが無効である垂直ブランキング期間とが設けられる。それぞれの期間の長さや開始および終了タイミングは、３Ｇ−ＳＤＩ規格において、解像度のフォーマットごとに規定されている。
【００６５】
垂直有効映像期間において、それぞれのラインには、ＥＡＶ、水平ブランキング信号、ＳＡＶ、ライン番号および誤り検出符号が同期信号として付加される。図６においては、ライン番号および誤り検出符号は省略されている。
【００６６】
分割画像Ａ、Ｂ、ＣおよびＤのそれぞれの水平解像度は、原画像の解像度（３８４０画素）の１／４に相当する９６０画素である。このため、原画像に対しては、規格上、３８４０画素を１ラインとしてラインごとにＥＡＶ等の同期信号が付加されるのに対し、分割画像に対しては、９６０画素を１ラインとしてラインごとに同期信号が付加される。このように、分割画像において同期信号が付加される間隔は、原画像と比較して１／４である。
【００６７】
全ての分割画像に、同じタイミングで同期信号を付加することにより、それぞれの分割画像における同じ座標の画素は、表示装置２００へ同時に転送される。
【００６８】
図７は、第１の実施の形態における同期信号および有効画素信号のデータ構成の一例を示す図である。同期信号は、ＥＡＶ、水平ブランキング信号ＢｌａｎｋおよびＳＡＶを含む。ＥＡＶおよびＳＡＶは、「３ＦＦ」、「０００」、「０００」および「ＸＹＺ」の４ワードを含むデータである。Ｘ、ＹおよびＺは変数であり、ＳＡＶであるかＥＡＶであるかを示す値などが設定される。また、有効画素の各々は、輝度信号（Ｙ１など）および色差信号（Ｃｂ１など）を含む。
【００６９】
［画像供給装置の動作例］
図８は、第１の実施の形態における画像供給装置１００による画像送信処理の一例を示すフローチャートである。この画像送信処理は、例えば、１枚の原画像を画像供給装置１００が取得するたびに実行される。画像供給装置１００は、原画像から４画素ずつ画素を取得する（ステップＳ９０１）。画像供給装置１００は、４画素を取得するたびに、その４画素の各々を４つの分割画像にマッピングする（ステップＳ９０２）。
【００７０】
画像供給装置１００は、分割画像信号に同期信号を多重化してパラレルデータを生成する（ステップＳ９０３）。画像供給装置１００は、パラレルデータをシリアルデータに変換して３Ｇ−ＳＤＩの規格に従って送信する（ステップＳ９０４）。ステップＳ９０４の後、画像供給装置１００は、画像送信処理を終了する。
【００７１】
［表示装置の動作例］
図９は、第１の実施の形態における表示装置２００による画像受信処理の一例を示すフローチャートである。この画像受信処理は、例えば、画像供給装置１００から１枚の画像に相当する分割画像信号が送信されるたびに実行される。表示装置２００は、３Ｇ−ＳＤＩの規格に従ってシリアルデータを受信し、パラレルデータに変換する（ステップＳ９１１）。表示装置２００は、分割画像信号から同期信号を分離する（ステップＳ９１２）。表示装置２００は、４つの分割画像信号から原画像信号を再構成する（ステップＳ９１３）。表示装置２００は、再構成した原画像を表示する（ステップＳ９１４）。ステップＳ９１４の後、表示装置２００は、画像受信処理を終了する。
【００７２】
このように、第１の実施の形態によれば、画像供給装置１００は、分割数と同数の画素が供給されるたびに、それらの画素の各々を互いに異なる画像にマッピングするため、メモリに画素を保持する必要がない。このため、画像を伝送する際における遅延時間とメモリ容量とを低減することができる。
【００７３】
［変形例］
［画像処理装置の構成例］
第１の実施の形態では、機器間の画像の伝送において画像を分割していたが、機器内の画像の伝送において画像を分割してもよい。図１０は、第１の実施の形態の画像処理装置３００の一構成例を示すブロック図である。変形例の画像処理装置３００は、機器（画像処理装置３００）内の画像の伝送において、画像を分割する点において第１の実施の形態と異なる。この画像処理装置３００は、画像送信回路１０１および画像受信回路２０１を備える。画像送信回路１０１と画像受信回路２０１とは、信号線１０１乃至１０４により接続される。
【００７４】
画像送信回路１０１の構成は、表示装置２００の代わりに、同じ機器内の画像受信回路２０１へ画像を送信する点以外は、第１の実施の形態の画像供給装置１００と同様である。画像受信回路２０１の構成は、画像供給装置１００の代わりに、同じ機器内の画像送信回路１０１から画像を受信する点以外は、表示装置２００と同様である。具体的には、画像処理装置１００は撮像装置などであり、画像送信回路１０１は、撮像素子（イメージセンサー）などである。また、画像受信回路２０１は、画像処理および画像の表示を行う回路などである。
【００７５】
＜２．第２の実施の形態＞
［画像供給装置の構成例］
第１の実施の形態では、分割数を固定値としていたが、原画像のデータ量により、必要最小限の分割数は変動する。画像をｋ分割して送信する場合、ｋ個の画像３Ｇ−ＳＤＩ送信部（１４１等）や３Ｇ−ＳＤＩ受信部（２１１等）が動作しなくてはならず、分割数ｋが多いほど消費電力が大きくなる。一方、原画像の分割数ｋが少ないほど、通信チャネル当たりの分割画像のデータ量が大きくなる。分割画像のデータ量が多いと、同期信号多重化部１３１等が分割画像をパラレルデータとして３Ｇ−ＳＤＩ送信部１４１等へ伝送する伝送クロックを高くしないと分割画像を伝送できなくなるおそれがある。また、分割画像のデータ量が多いと、３Ｇ−ＳＤＩ送信部１４１等がパラレルデータ（分割画像）をシリアルデータに変換する処理を行う処理クロックを高くしないと、分割画像を伝送することができなくなるおそれがある。処理クロックや伝送クロックを高くするには、同期信号多重化部１３１等や３Ｇ−ＳＤＩ送信部１４１等の回路の設計変更が必要になったり、クロックの変更を行う回路が新たに必要になったりすることがある。このため、伝送クロックや処理クロックに変更を与えないように、分割数ｋを調整することが望ましい。第２の実施の形態では、原画像のデータ量に応じて分割数を可変する点において第１の実施の形態と異なる。
【００７６】
図１１は、第２の実施の形態における画像供給装置１００の一構成例を示すブロック図である。第２の実施の形態の画像供給装置１００は、画像供給部１１０の代わりに画像供給部１１１を備える点において第１の実施の形態と異なる。また、第２の実施の形態の画像マッピング部１２０は、原画像のデータ量に応じて分割数を変化させる点において第１の実施の形態と異なる。
【００７７】
画像供給部１１１は、原画像信号をｋ画素ずつでなく、１画素ずつ転送する点において第１の実施の形態と異なる。１画素ずつ転送する場合の原画像信号の転送レートは、ｋ画素ずつ転送する場合のｋ倍となる。なお、第２の実施の形態において、第１の実施の形態と同様に原画像信号をｋ画素ずつ画像マッピング部１２０へ転送してもよい。
【００７８】
［画像マッピング部の構成例］
図１２は、第２の実施の形態における画像マッピング部１２０の一構成例を示すブロック図である。この画像マッピング部１２０は、画素保持部１２１、解像度フォーマットテーブル１２２、分配器１２３および分割数演算部１２４を備える。
【００７９】
画素保持部１２１は、少なくともｋ個の画素を保持するものである。画素保持部１２１は、ｋ画素が供給されるたびに、それらの画素を保持する。保持した画素は分配器１２３により読み出される。第１の実施の形態と異なり、画像マッピング部１２０は、メモリ（画素保持部１２１）を備える必要がある。しかし、メモリの容量は、少なくともｋ画素分でよく、ライン単位またはフレーム単位の容量は必要ない。また、ｋ画素を保持してから送信するため、ライン単位またはフレーム単位の伝送遅延は生じず、遅延時間の増加は抑制される。
【００８０】
なお、第２の実施の形態において、１画素ずつ画素を画像マッピング部１２０へ転送しているが、第１の実施の形態と同様にｋ画素ずつ画素を転送してもよい。その場合には、画像マッピング部１２０に画素保持部１２１は不要である。
【００８１】
解像度フォーマットテーブル１２２は、解像度フォーマット識別情報ごとに、解像度フォーマットに関する情報を対応付けたテーブルである。解像度フォーマット識別情報は、原画像の解像度フォーマットを識別するための情報である。また、解像度フォーマットに関する情報として、例えば、水平解像度、垂直解像度、フレームレート、水平ブランキング期間および垂直ブランキング期間などである。
【００８２】
分配器１２３は、分割数演算部１２４により求められた分割数ｋにより画像を分割するものである。分配器１２３は、分割数演算部１２４から分割数ｋを受け取る。そして、分配器１２３は、画素保持部１２１にｋ画素が保持されるたびに、それらの画素の各々を互いに異なる同期多重化部（１３１等）に分配する。これにより、原画像がｋ個の分割画像に分割される。
【００８３】
分割数演算部１２４は、分割数ｋを演算するものである。分割数演算部１２４には、画像の伝送前において、予め、画像伝送量情報および伝送路帯域情報が入力される。画像伝送量情報は、原画像のデータ量およびフレームレートを求めるための情報である。この画像伝送量情報は、例えば、ユーザや画像供給部１１１により、画像の伝送前に入力される。画像伝送量情報は、例えば、解像度フォーマット識別情報、カラーフォーマット識別情報、および、階調表現ビット数を含む。また、伝送路帯域情報は、画像供給装置１００と表示装置２００との間の伝送路の１チャネル当たりの帯域を示す情報である。帯域の単位として、例えば、ｂｐｓ（bit per second）が用いられる。
【００８４】
カラーフォーマット識別情報は、原画像のカラーフォーマットを識別するための情報である。階調ビット数は、原画像の色の階調を表すビット数である。
【００８５】
分割数演算部１２４は、カラーフォーマットおよび階調ビット数から、原画像内の画素のデータサイズを求める。例えば、カラーフォーマットが、「ＹＣｂＣｒ  ４：４：４」で、階調ビット数が１０ビットである場合、１つの画素は１０ビットのＹ、ＣｂおよびＣｒの情報から構成される。このため、画素のデータサイズは３０ビットである。
【００８６】
また、分割数演算部１２４は、解像度フォーマットに対応する、水平解像度、垂直解像度、フレームレート、水平ブランキング期間および垂直ブランキング期間を解像度フォーマットテーブル１２２から読み出す。水平解像度および水平ブランキング期間の単位は、例えば、画素数である。垂直解像度および垂直ブランキング期間の単位は、例えば、ライン数である。フレームレートの単位は、例えば、ヘルツ（Ｈｚ）である。
【００８７】
分割数演算部１２４は、例えば、次の式を満たす分割数ｋを求め、求めた分割数ｋに分配器１２３に供給する。これにより、分割数ｋは、画像のデータ量に応じて決定される。また、式１を満たす分割数ｋを決定することにより、画像供給装置１００は、伝送クロックを変更せずに画像を伝送することができる。
｛（水平解像度）／ｋ＋（水平ブランキング期間）｝×｛（垂直解像度）＋（垂直ブランキング期間）｝×（画素データサイズ）×（フレームレート）≦（伝送路帯域）…式１
【００８８】
同期信号多重化部（１３１等）の個数（例えば、４）より小さな値のｋが決定されると、同期信号多重化部（１３１等）のうち、決定されたｋ（例えば、１）と同数の同期多重化部（１３１等）のみが動作して同期信号を多重化する。同様に、３Ｇ−ＳＤＩ送信部（１４１等）のうち、決定されたｋと同数の３Ｇ−ＳＤＩ送信部（１４１等）のみが動作して分割画像信号を送信する。
【００８９】
図１３は、第２の実施の形態における解像度フォーマットテーブルの一構成例を示す図である。この解像度フォーマットテーブルには、解像度フォーマット識別情報ごとに、水平解像度、垂直解像度、フレームレート、水平ブランキング期間および垂直ブランキング期間が対応付けて記憶される。これらの水平解像度等は、ＵＨＤＴＶ規格などにより規定されている値が用いられる。
【００９０】
例えば、解像度フォーマット識別情報「ＲＦ１」に対応付けて、水平解像度「１９２０」画素、垂直解像度「１０８０」ラインのフォーマットが記憶される。このフォーマットのフレームレートは「２４」Ｈｚであり、水平ブランキング期間は「２８０」画素であり、垂直ブランキング期間は「４５」ラインである。
【００９１】
［表示装置の構成例］
図１４は、第２の実施の形態における表示装置２００の一構成例を示すブロック図である。第２の実施の形態の表示装置２００は、表示部２４０の代わりに表示部２４１を備える点において第１の実施の形態と異なる。
【００９２】
また、第２の実施の形態の画像再構成部２３０は、原画像のデータ量に応じて分割数を取得し、その分割数に基づいて画像を再構成する点において第１の実施の形態と異なる。
【００９３】
表示部２４１は、画像再構成部２３０から原画像内の画素を１画素ずつ取得して表示する。表示部２４１は、画素を１画素ずつ取得するため、ｋ画素ずつ取得する第１の実施の形態と比較してｋ倍の動作クロックで動作する。なお、表示部２４１は、第２の実施の形態において、第１の実施の形態と同様にｋ画素ずつ画素を取得してもよい。
【００９４】
［画像再構成部の構成例］
図１５は、第２の実施の形態における画像再構成部２３０の一構成例を示すブロック図である。この画像再構成部２３０は、混合器２３１、分割数演算部２３２、画素保持部２３３および解像度フォーマットテーブル２３４を備える。
【００９５】
混合器２３１は、分割数演算部２３２により求められた分割数ｋと同数の同期信号分離部（２２１等）からｋ画素が供給されるたびに、それらの画素をまとめて表示部２４０に供給するものである。これにより、ｋ個の分割画像が原画像に再構成される。
【００９６】
分割数演算部２３２、画素保持部２３３および解像度フォーマットテーブル２３４の構成は、画像供給装置１００における分割数演算部１２４、画素保持部１２１および解像度フォーマットテーブル１２２と同様である。
【００９７】
なお、第２の実施の形態において、画像再構成部２３０は原画像を１画素ずつ出力しているが、第１の実施の形態と同様にｋ画素ずつ出力してもよい。その場合には、画像再構成部２３０において画素保持部２３３は不要である。
【００９８】
このように、第２の実施の形態によれば、画像供給装置１００において、画像のデータ量に応じて決定した数の３Ｇ−ＳＤＩ送信部（１４１等）のみが動作することにより、消費電力の増大を抑制することができる。また、同期信号多重化部（１３１等）についても、データ量に応じた数のみが動作することにより、消費電力の増大が抑制される。また、伝送クロック数を一定に保つように分割数を変更することにより、複数の伝送クロックを用意しなくても画像を伝送することができる。同様に、表示装置２００においても、データ量に応じた数の３Ｇ−ＳＤＩ受信部（２１１等）や同期信号分離部（２２１等）のみが動作することにより、消費電力の増大が抑制される。
【００９９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１００】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０１０１】
なお、本技術は以下のような構成もとることができる。
（１）２次元格子状に配列された画素からなる原画像において所定の方向に配列された画素の各々を供給する画像供給部と、
前記原画像を分割する数である分割数の前記画素が供給されるたびに当該分割数の画素の各々を互いに異なる画像にマッピングして当該マッピングした画像を分割画像として生成する画像マッピング部と、
それぞれが複数の通信チャネルのいずれかに対応付けられて前記分割画像のいずれかを前記対応する前記通信チャネルを介して送信する少なくとも前記分割数と同数の送信部と
を具備する画像送信回路。
（２）前記通信チャネルの通信速度と前記原画像のデータ量とに基づいて前記分割数を決定する分割数決定部をさらに備え、
前記画像マッピング部は、前記決定された分割数の前記分割画像を生成し、
前記送信部のうち前記決定された分割数と同数の前記送信部のみが、前記分割画像を送信する
前記（１）記載の画像送信回路。
（３）前記送信部のいずれかに対応付けられて前記分割画像に同期信号を多重化して前記対応する送信部に送信する前記送信部の個数と同数の同期信号多重化部をさらに備え、
前記同期信号多重化部のうち前記決定された分割数と同数の前記同期信号多重化部のみが、前記同期信号を多重化する
前記（１）または（２）記載の画像送信回路。
（４）前記分割数決定部は、前記原画像を等分割する数であり、かつ、前記複数の通信チャネルの個数を超えない数を前記通信速度と前記原画像のデータ量とに基づいて前記分割数として決定する
前記（２）または（３）記載の画像送信回路。
（５）それぞれが複数の通信チャネルのいずれかに対応付けられて２次元格子状に配列された画素からなる原画像を分割した数である分割数と同数の分割画像のいずれかにおける画素を前記対応する通信チャネルを介して１画素ずつ受信する少なくとも前記分割数と同数の受信部と、
前記受信部のうち前記分割数の受信部の各々が１つの画素を受信するたびに前記原画像における所定の方向に沿って順に前記受信された画素の各々を配列して前記原画像を再構成する画像再構成部と、
前記再構成された原画像を表示する表示部と
を具備する画像受信回路。
（６）前記通信チャネルの通信速度と前記原画像のデータ量とに基づいて前記分割数を決定する分割数決定部をさらに備え、
前記受信部のうち前記決定された分割数の前記受信部は、前記分割画像のいずれかの画素を１画素ずつ受信し、
前記画像再生構成部は、前記決定された分割数の前記受信部の各々が１つの画素を取得するたびに前記画像を再構成する
前記（５）記載の画像受信回路。
（７）前記分割画像から同期信号を分離して前記同期信号を分離した前記分割画像をそれぞれが前記画像再構成部に供給する前記受信部と同数の同期信号分離部をさらに具備し、
前記受信部の各々は、前記同期信号分離部のいずれかに対応付けられて前記同期信号が多重化された前記分割画像を受信して前記対応する同期信号分離部に供給し、
前記同期信号分離部のうち前記決定された分割数と同数の前記同期信号分離部のみが、前記同期信号を分離する
前記（６）に記載の画像受信回路。
（８）前記分割数決定部は、前記原画像を等分割する数であり、かつ、前記複数の通信チャネルの個数を超えない数を前記通信速度と前記原画像のデータ量とに基づいて前記分割数として決定する
前記（６）または（７）記載の画像受信回路。
（９）２次元格子状に配列された画素からなる原画像において所定の方向に配列された画素の各々を供給する画像供給部と、
前記原画像を分割する数である分割数の前記画素が供給されるたびに当該分割数の画素の各々を互いに異なる画像にマッピングして当該マッピングした画像を分割画像として生成する画像マッピング部と、
それぞれが複数の通信チャネルのいずれかに対応付けられて前記分割画像のいずれかを前記対応する前記通信チャネルを介して送信する当該対応する少なくとも前記分割数と同数の送信部と、
それぞれが前記複数の通信チャネルのいずれかに対応付けられて前記分割画像のいずれかにおける画素を前記対応する通信チャネルを介して１画素ずつ受信する少なくとも前記分割数と同数の受信部と、
前記受信部のうち前記分割数の受信部の各々が１つの画素を受信するたびに前記原画像における所定の方向に沿って順に前記受信された画素の各々を配列して前記原画像を再構成する画像再構成部と、
前記再構成された原画像を表示する表示部と
を具備する通信システム。
（１０）画像供給部が、２次元格子状に配列された画素からなる原画像において所定の方向に配列された画素の各々を供給する画像供給手順と、
画像マッピング部が、前記原画像を分割する数である分割数の前記画素が供給されるたびに当該分割数の画素の各々を互いに異なる画像にマッピングして当該マッピングした画像を分割画像として生成する画像マッピング手順と、
それぞれが複数の通信チャネルのいずれかに対応付けられた少なくとも前記分割数と同数の送信部が前記対応する通信チャネルを介して前記分割画像のいずれかを送信する送信手順と
を具備する画像送信方法。
【符号の説明】
【０１０２】
１００  画像供給装置
１０１  画像送信回路
１１０、１１１  画像供給部
１２０  画像マッピング部
１２１、２３３  画素保持部
１２２、２３４  解像度フォーマットテーブル
１２３  分配器
１２４、２３２  分割数演算部
１３１、１３２、１３３、１３４  同期信号多重化部
１４１、１４２、１４３、１４４  ３Ｇ−ＳＤＩ送信部
２００  表示装置
２０１  画像受信回路
２１１、２１２、２１３、２１４  ３Ｇ−ＳＤＩ受信部
２２１、２２２、２２３、２２４  同期信号分離部
２３０  画像再構成部
２３１  混合器
２４０、２４１  表示部
３００  画像処理装置
【図１】
2014146924.tif 000003
【図２】
2014146924.tif 000004
【図３】
2014146924.tif 000005
【図４】
2014146924.tif 000006
【図５】
2014146924.tif 000007
【図６】
2014146924.tif 000008
【図７】
2014146924.tif 000009
【図８】
2014146924.tif 000010
【図９】
2014146924.tif 000011
【図１０】
2014146924.tif 000012
【図１１】
2014146924.tif 000013
【図１２】
2014146924.tif 000014
【図１３】
2014146924.tif 000015
【図１４】
2014146924.tif 000016
【図１５】
2014146924.tif 000017